(57)【要約】【課題】ファッション性に配慮しながら、ロングブーツとショートブーツの切替えを容易に行えて、脛部も確実に固定することができるブーツを提供する。【解決手段】足部（１）と、上方に延びる筒状の脛部（２）とを備えてなるブーツにおいて、脛部（２）を、足部（１）に一体的に設けられる下部脛部（３）と、下部脛部（３）の上方部（３ａ）を覆うようにして着脱自在に設けられる上部脛部（４）とで形成し、上方部（３ａ）を、上部脛部（４）が取り外された状態において外側へ折り返し可能な折返し部（３１）と、折返し部（３１）で覆われる被折返し部（３２）とで形成し、折返し部（３１）の内周面（３１ａ）には外装処理を施し、被折返し部（３２）の外周面（３２ｂ）には上部脛部（３）を係止固定する第１の止め具（３２１）を設ける。【選択図】　　　　　図１
0003098691.tif 000002
【実用新案登録請求の範囲】
【請求項１】
足部（１）と、該足部（１）の上方に延びる筒状の脛部（２）とを備えてなるブーツであって、
前記脛部（２）は、前記足部（１）に一体的に設けられて前記足部（１）から上方に延びる下部脛部（３）と、前記下部脛部（３）の上方部（３ａ）を覆うようにして着脱自在に設けられ前記上方部（３ａ）から上方に延びる上部脛部（４）とで形成されており、
前記上方部（３ａ）は、前記上部脛部（４）が取り外された状態において外側へ折り返し可能な折返し部（３１）と、前記折返し部（３１）が外側へ折り返されることにより前記折返し部（３１）で覆われることとなる被折返し部（３２）とで形成されており、
前記折返し部（３１）の内周面（３１ａ）には、外装処理が施されており、
前記被折返し部（３２）の外周面（３２ｂ）には、前記上部脛部（３）を固定する第１の止め具（３２１）が設けられていることを特徴とするブーツ。
【請求項２】
前記折返し部（３１）の外周面（３１ｂ）には、前記折返し部（３１）が外側へ折り返された状態において前記第１の止め具（３２１）と係合させられる第２の止め具（３１１）が設けられていることを特徴とする請求項１に記載のブーツ。
【請求項３】
前記折返し部（３１）には、切欠き（３１ｃ）が設けられていることを特徴とする請求項１又は２に記載のブーツ。
【請求項４】
前記足部（１）及び前記下部脛部（３）には、前記下部脛部（３）の上方側から開くことができる下部チャック部（３３）が形成されており、
前記上部脛部（４）には、前記上部脛部（４）の上方側から開いて完全に分離することができる上部チャック部（４３）が形成されており、
前記下部チャック部（３３）と前記上部チャック部（４３）は、上下方向で連続するように形成されている事を特徴とする請求項１から３のいずれかに記載のブーツ。
【請求項５】
前記下部チャック部（３３）の操作ツマミ部（３３２）は、前記上部脛部（４）で覆われることを特徴とする請求項４に記載のブーツ。
【考案の詳細な説明】
【０００１】
【考案の属する技術分野】
本考案は、ロングブーツ又はショートブーツとして選択的に切替えて使用することができるブーツに関する。
【０００２】
【従来の技術】
ブーツには、膝回りまでを覆うようにしたロングブーツと、足首より少し上までを覆うショートブーツとがある。ロングブーツは、高いファッション性を有する反面、合わせられる服装が限られたり、保温性が高すぎるために使用できる期間が限られたりするという問題点がある。したがって、ロングブーツのユーザーには、ショートブーツも合わせて保有する人が多く、服装や季節に応じて、ロングブーツとショートブーツを使い分けるようにしている。
【０００３】
しかしながら、これらのブーツは丈が長く、一般の靴と比べて嵩が大きいため、それをロング、ショートの２種類とも保有するためには、広い保管スペースを要するという問題点がある。特に、ロングブーツは、保管中に、丈が長い脛部に折れ癖がつかないように長尺のシューキーパーを挿入したりするため、特に広い保管スペースを確保する必要がある。この問題に対して、実用新案登録第３０１６７７８号公報では、ショートブーツに筒状の脛部をベルトで固定して、ロングブーツとしても使用できるようにしたものが開示されている。
【０００４】
【考案が解決しようとする課題】
しかしながら、上記公報に開示されたブーツでは、筒状の脛部に設けられた固定用ベルトをショートブーツの靴底にまわし掛ける特殊な構造を採用しているため、デザインのバリュエーションが限られてしまうという問題点がある。また、ベルトをまわし掛ける際には、ショートブーツと脛部の密着状態を維持しながら作業する必要がある等、ロングブーツとショートブーツの切替え作業が煩雑になりがちである。さらに、ベルトをまわし掛けるだけでショートブーツと脛部を完全に固定するものではないため、着用中に両者がずれてしまい見栄えを損ねるおそれがある。その他、靴底にまわし掛けられたベルトが泥水等で汚れてしまうことも考えられる。
【０００５】
本考案は、斯かる問題点に鑑み、ファッション性に配慮しながら、ロングブーツとショートブーツの切替えを容易に行えて、脛部の固定も確実にすることができるブーツを提供しようとするものである。
【０００６】
【課題を解決するための手段】
請求項１の考案は、足部（１）と、該足部（１）の上方に延びる筒状の脛部（２）とを備えてなるブーツであって、前記脛部（２）は、前記足部（１）に一体的に設けられて前記足部（１）から上方に延びる下部脛部（３）と、前記下部脛部（３）の上方部（３ａ）を覆うようにして着脱自在に設けられ前記上方部（３ａ）から上方に延びる上部脛部（４）とで形成されており、前記上方部（３ａ）は、前記上部脛部（４）が取り外された状態において外側へ折り返し可能な折返し部（３１）と、前記折返し部（３１）が外側へ折り返されることにより前記折返し部（３１）で覆われることとなる被折返し部（３２）とで形成されており、前記折返し部（３１）の内周面（３１ａ）には、外装処理が施されており、前記被折返し部（３２）の外周面（３２ｂ）には、前記上部脛部（３）を係止固定する第１の止め具（３２１）が設けられていることを特徴とするブーツを提供する。
【０００７】
請求項１の考案によれば、下記のような作用を奏する。上部脛部（４）は、被折返し部（３２）の外周面（３２ｂ）設けられる止め具（３２１）で、下部脛部（３）に係止固定されるため、着脱作業を容易に行うことができ、しかも着用中にずれたりする心配がない。また、第１の止め具（３２１）は、上部脛部（４）が取り外された状態において、外装処理された折り返し部（３１）で覆い隠されるので、ショートブーツとして使用する場合にも見栄えを良好に保つことができる。
【０００８】
請求項２の考案は、前記折返し部（３１）の外周面（３１ｂ）には、前記折返し部（３１）が外側へ折り返された状態において前記第１の止め具（３２１）と係合させられる第２の止め具（３１１）が設けられていることを特徴とする請求項１に記載のブーツを提供する。
【０００９】
請求項２の考案によれば、請求項１の考案の作用に加えて、下記のような作用を奏する。折り返し部（３１）は、第１の止め具（３２１）及び第２の止め具（３１１）により、外側に折り返された状態で確実に固定されるため、ショートブーツとして着用している際に折り返し部（３１）がめくれ上がって、見栄えを損ねることがないものである。
【００１０】
請求項３の考案は、前記折返し部（３１）には、切欠き（３１ｃ）が設けられていることを特徴とする請求項１又は２に記載のブーツを提供する。
【００１１】
請求項３の考案によれば、請求項１又は２の考案の作用に加えて、下記のような作用を奏する。切欠き（３１ｃ）が設けられていることにより、折り返し部（３１）の折り返しを容易に行うことができるものである。また、折返し部（３１）の回りの余肉が切欠き（３１ｃ）で逃がされるため、シワが発生して見栄えや履き心地を損なうことがないものである。
【００１２】
請求項４の考案は、前記足部（１）及び前記下部脛部（３）には、前記下部脛部（３）の上方側から開くことができる下部チャック部（３３）が形成されており、前記上部脛部（４）には、前記上部脛部（４）の上方側から開いて完全に分離することができる上部チャック部（４３）が形成されており、前記下部チャック部（３３）と前記上部チャック部（４３）は、上下方向で連続するように形成されている事を特徴とする請求項１から３のいずれかに記載のブーツを提供する。
【００１３】
請求項４の考案によれば、請求項１から３のいずれかに記載の考案の作用に加えて、下記のような作用を奏する。下部チャック（３３）と上部チャック（４３）が連続的に設けられているので、ロングブーツとして使用するときにも、両チャックが視覚的に一体化されて見栄えが良好に保たれる。また、上部チャック（４３）は完全に分離されるので、両チャックを開くことにより、下部脛部（３）に上部脛部（４）を取り付けたままでも、脛部（２）の側方全体が大きく開いて、容易に履いたり脱いだりすることができるものである。また、上部脛部（４）は、取り外されたときに平板状になるため、折り畳んだり、丸めたりする等してコンパクトに保管することができるものである。したがって、上部脛部（４）について、適宜デザイン変更できるように複数種類のものを用意した場合にも、広い保管スペースを確保する必要がないものである。
【００１４】
請求項５の考案は、前記下部チャック部（３３）の操作ツマミ部（３３２）は、前記上部脛部（４）で覆われることを特徴とする請求項４に記載のブーツを提供する。
【００１５】
請求項５の考案によれば、請求項４の考案の作用に加えて、下記のような作用を奏する。下部チャック部（３３）の操作ツマミ部（３３２）が隠されるために、
下部チャック（３３）と上部チャック（３４）の視覚的な一体性がさらに増して、見栄えが向上するものである。
【００１６】
【考案の実施の形態】
以下、本考案の実施の形態を、添付図面を参照しながら説明する。
【００１７】
図１〜図６は、本考案を実施する形態の一例であって、図１及び図２は、本実施形態に係るブーツの全体を示す図であって、図１はチャックを閉じた状態、図２はチャックを開いた状態を示したものである。図３及び図４は、上部脛部が取り外された状態を示す図であり、図３と図４では見る角度が異なる。図５は、取り外された上部脛部が広げられた状態を示す図であり、図６は、上部脛部を取り付ける要領を説明する図である。
【００１８】
図１及び図２において、１は、主にくるぶしよりも下側を挿入するために設けられる足部であり、２は、主にくるぶしよりも上側を挿入するために設けられる筒状体の脛部である。足部１は、靴底部１１と、靴底部１１に取り付けられるヒールブロック１２と、靴底部１１の上方を覆う甲部１３とからなる。脛部２は、足部１と一体的に設けられて、足部１から上方に延びる下部脛部３と、下部脛部３の上方部３ａを覆うように設けられて上方部３ａから上方に延びる上部脛部４とで形成される。なお、下部脛部３と上部脛部４は、後述する第１の止め具３２１及び第３の止め具４１１で着脱自在に係止固定されている。
【００１９】
下部脛部３の側面には、靴底部１１の上側から上方部３ａまで直線状に延びており、操作ツマミ部３３２を引き降ろすことで上方側から開くことができる下部チャック部３３が形成されている。また、上部脛部４の側面には、上下全体に亘って延びており、操作ツマミ部４３２を引き降ろすとともに下端部に設けられる係止具４３１の係止を解除することで完全に分離された状態に開くことができる上部チャック部４３が形成されている。
【００２０】
下部チャック部３３と上部チャック部４３は、図１に示されるように、閉じられた状態において上下方向に一直線状に連続するように形成されており、両チャック部を完全に開くことで、図２に示されるように、脛部２の側方がほぼ完全に開かれてブーツを履きやすい状態とすることができる。なお、両チャック部が閉じられた状態において、下部チャック部３３の操作ツマミ部３３２は、図１に示されるように、上部脛部４で覆い隠されて外部から見えないようになっている。
【００２１】
下部脛部３の上方部３ａは、上部脛部４が取り外された状態において、図３及び図４に示されるように、外側へ折返し可能な折返し部３１と、折返し部３１が外側へ折り返されることにより折返し部３１で覆われることとなる被折返し部３２とで形成される。図３（ｂ）及び図４（ｂ）に示されるように、被折返し部３２の外周面３２ｂには、上部脛部４を着脱自在に係止固定する第１の止め具３２１が周方向に４個（複数個）設けられており、また、折返し部３１の外周面３１ｂには、折返し部３１が外側に折り返されたときに第１の止め具３２１と係合する第２の止め具３１１が設けられている。これにより、図３（ａ）及び図４（ａ）に示されるように、折り返された折返し部３１は、容易にめくれあがることがないものである。なお、第１の止め具３２１には雄型ホックが使用され、第２の止め具３１１には雌型ホックが使用されている。
【００２２】
折返し部３１の内周面３１ａは、全体が化粧皮革で覆われ、また、第２の止め具３１１の裏側には化粧金具３１２が設けられる外装処理が施されている。したがって、折返し部３１は、外側へ折り返されたときに、図３（ａ）及び図４（ａ）に示されるように、化粧皮革と化粧金具３１２で装飾されることとなり、上部脛部４が取り外された状態でショートブーツとして見栄えよく履くことができるようになっている。
【００２３】
なお、上述した下部チャック部３３は、被折返し部３２の上端までしか設けられておらず、折り返し部３１には、連結されることのない切欠き３１ｃが設けられている。切欠き３１ｃを設けることにより、折り返し部３１を外部に折り返し易くすることができ、また、折返し部３１の回りにシワが発生して見栄えを損ねたり、履き心地を悪化させたりすることを防止することができるものである。
【００２４】
上部脛部４は、下部脛部３から取り外された状態では、図５に示されるように、上部チャック部４３を分離することにより平板状にすることができる。図５（ｂ）に示されるように、下部脛部３の上方部３ａを覆う下方部４１の内周面４１ａには、第１の止め具３２１と係合される雌型ホックである第３の止め具４１１が設けられており、外周面４１ｂには、第３の止め具４１１のカシメ部を覆う化粧金具４１２が設けられている。また、上部脛部４の左右端部には、図５（ａ）に示されるように、この左右端部を連結して上部脛部４を筒状に形成する上部チャック部４３が取り付けられている。
【００２５】
上記のとおりであるから、本実施形態に係るブーツは、上部脛部４を取り外し、折返し部３１を外部に折り返して、第１の止め具３２１と第２の止め具３３２を係合させることにより、図３（ａ）及び図４（ａ）に示されるように、ショートブーツとして使用することができるものである。また、図６に一点鎖線で示されるように平板状の上部脛部４で、下部脛部３の上方部３ａで覆うようにして、第１の止め具３２１と第３の止め具４１１を係合させることにより、図１及び図２に示されるように、ロングブーツとして使用することができるものである。特に上部脛部４の上部チャック部４３は完全に分離されるので、図２に示されるように、脛部２の側部全体が大きく開放されて、履いたり脱いだりし易いものである。
【００２６】
上記実施形態では、第１乃至第３の止め具として雄型ホックと雌型ホックを組み合わせて使用したが、他の止め具を使用するようにしても良い。また、上記実施形態では、折返し部３１の内周面３１ａを外装処理するために、化粧皮革と化粧金具を組み合わせて使用したが、化粧金具を使用せずに化粧皮革のみで全体を覆うようにしても良い。また、外装処理する素材としては、皮革に限らず、様々な素材を使用することができるものである。
【００２７】
その他、本考案のブーツは、上記した実施の形態に限定されるものではなく、本考案の要旨を逸脱しない範囲内において種々変更を加え得ることは勿論である。
【００２８】
【考案の効果】
以上、説明したように本考案の請求項１〜５記載のブーツによれば、上部脛部は、被折返し部の外周面に設けられる第１の止め具で下部脛部に着脱自在に係止固定されるため、ロングブーツとショートブーツの切替え作業を容易に行うことができる。しかも、ベルト等をまわし掛けただけのものと異なり、上部脛部と下部脛部とが相互に係止固定されるので、着用中にずれたりする心配がない。また、第１の止め具は、上部脛部が取り外された状態において、外装処理された折り返し部で覆われるので、ショートブーツとして使用する場合にも見栄えを良好に保つことができるという優れた効果を奏し得るものである。
【図面の簡単な説明】
【図１】本実施形態に係るブーツの全体を示し、チャックを閉じた状態を示す図。
【図２】本実施形態に係るブーツの全体を示し、チャックを開いた状態を示す図。
【図３】本実施形態に係るブーツについて、上部脛部が取り外された状態を示す図。
【図４】本実施形態に係るブーツについて、上部脛部が取り外された状態を図３とは別の角度から見た図。
【図５】取り外された上部脛部を示す図。
【図６】下部脛部に対して上部脛部を取り付ける要領を説明する図。
【符号の説明】
１　　　足部
２　　　脛部
３　　　下部脛部
３ａ　　上方部
３１　　折返し部
３１１　第２の止め具
３１２　　化粧金具
３２　　　被折返し部
３２１　　第１の止め具
３３　　　　下部チャック部
３３２　　操作ツマミ部
４　　　　　　上部脛部
４１　　　　下方部
４３　　　　上部チャック部
４３１　　係止具
４３２　　操作ツマミ部
【図１】
0003098691.tif 000003
【図２】
0003098691.tif 000004
【図３】
0003098691.tif 000005
【図４】
0003098691.tif 000006
【図５】
0003098691.tif 000007
【図６】
0003098691.tif 000008